(57)【特許請求の範囲】
【請求項１】
往きヘッダ及び還りヘッダを介して相互に接続された、所定温度の熱源水を生成する熱源側系統と熱源側系統によって生成された所定温度の熱源水を利用して空調負荷を処理する負荷側機器が設置された負荷側系統とを備え、
前記熱源側系統は、前記往きヘッダ及び前記還りヘッダに個別に接続される、所定温度の熱源水を生成する熱源機器及び熱源機器用１次ポンプが設置された熱源機器系統と蓄熱槽に貯留された蓄熱媒体が保有する熱を利用して所定温度の熱源水を生成する熱交換器及び熱交換器用１次ポンプが設置された熱交換器系統とを有し、
前記負荷側系統は、前記熱源側系統によって前記往きヘッダに導入された所定温度の熱源水を、前記負荷側機器に送出する２次ポンプを有し、
前記熱源側系統によって前記往きヘッダに導入された所定温度の熱源水の余剰分が、バイパス流路を介して、前記還りヘッダに戻されるようになっており、
前記熱源側系統は、空調負荷に応じて、前記熱源機器系統及び前記熱交換器系統の発停制御が行われるようになっている空調システムにおいて、
前記熱交換器系統は、前記バイパス流路を介して前記還りヘッダに戻される所定温度の熱源水が前記熱交換器に導入されないように、直接または前記負荷側系統を介して間接的に前記還りヘッダに接続されていることを特徴とする空調システム。
【請求項２】
前記熱源機器系統及び前記熱交換器系統の双方が運転している状態では、前記熱源機器系統における熱源水の送水量を、前記熱源機器に対して予め定められている最大送水量に保持すると共に、前記熱交換器系統における熱源水の送水量を、前記熱交換器に対して予め定められている最大送水量に保持するようになっている請求項１に記載の空調システム。
【請求項３】
前記熱源機器系統及び前記熱交換器系統の双方が運転している状態では、前記熱交換器系統における熱源水の送水量を、前記熱交換器に対して予め定められている最大送水量に保持すると共に、前記熱源機器への熱源水の入水温度が予め定められている設計入水温度になるように、前記熱源機器系統における熱源水の送水量を調整するようになっている請求項１に記載の空調システム。
【請求項４】
前記熱源機器系統及び前記熱交換器系統の双方が運転している状態では、前記熱源機器系統における熱源水の送水量を、前記熱源機器に対して予め定められている最大送水量に保持すると共に、前記熱源機器への熱源水の入水温度が予め定められている設計入水温度になるように、前記熱交換器系統における熱源水の送水量を調整するようになっている請求項１に記載の空調システム。
【発明の詳細な説明】
【技術分野】
【０００１】
この発明は、冷凍機等の定流量タイプの熱源機器が生成した所定温度の熱源水や蓄熱槽に貯留された蓄熱媒体が保有する熱を利用して熱交換器が生成した所定温度の熱源水を、空調機等の負荷側機器に供給することによって建築物等の冷暖房を行う空調システムに関する。
【背景技術】
【０００２】
この種の空調システムとしては、図４に示すようなものがある。この空調システムは、同図に示すように、所定温度の熱源水（例えば、７℃の冷水等）を生成する熱源側系統５０と、この熱源側系統５０によって生成された所定温度の熱源水を利用して空調負荷を処理する空調機等の負荷側機器６１が設置された負荷側系統６０とを備えており、熱源側系統５０と負荷側系統６０とが、往きヘッダＳＨ及び還りヘッダＲＨを介して、相互に接続されている。
【０００３】
前記熱源側系統５０は、冷凍機等の定流量タイプの熱源機器５１ａ及び１次ポンプ５２ａが設置された熱源機器系統５０ａと、蓄熱槽５３に貯留された蓄熱媒体（水）が保有する熱を利用して所定温度の熱源水を生成する熱交換器５１ｂ及び１次ポンプ５２ｂが設置された熱交換器系統５０ｂとを有しており、空調負荷に応じて、熱源機器系統５０ａ及び熱交換器系統５０ｂの発停制御が行われるようになっている。
【０００４】
また、蓄熱槽５３における蓄熱側（冷房の場合は低温側、暖房の場合は高温側）に貯留された蓄熱媒体は、蓄熱２次ポンプ５４によって、熱交換器５１ｂに供給され、熱交換器５１ｂで放熱した蓄熱媒体が蓄熱槽５３における放熱側（冷房の場合は高温側、暖房の場合は低温側）に戻されるようになっており、熱交換器５１ｂから送出される熱源水の温度が所定温度に保持されるように、蓄熱２次ポンプ５４は、インバータによって、その回転数を変化させることで、蓄熱媒体の循環量を調整するようになっている。
【０００５】
前記負荷側系統６０は、熱源側系統５０によって往きヘッダＳＨに導入された所定温度の熱源水を、負荷側往きヘッダ６４を介して、負荷側機器６１に送出する２次ポンプ６２と、空調負荷に応じて、負荷側機器６１への熱源水の送水量を調整する二方弁６３とが設置されており、空調負荷に応じて二方弁６３が開閉することによって、負荷側機器６１への送水量が変化した場合でも、送水差圧、即ち、負荷側往きヘッダ６４と往きヘッダＳＨとの間の差圧が設定差圧に保持されるように、２次ポンプ６２は、インバータによって、その回転数を変化させることができるようになっている。
【０００６】
また、熱源側系統５０の１次ポンプ５２ａ、５２ｂは、定格流量の熱源水を往きヘッダＳＨに送出するようになっているので、負荷側系統６０における負荷側機器６１への熱源水の送水量が、熱源側系統５０によって往きヘッダＳＨに導入される熱源水の導入量より小さい場合は、往きヘッダＳＨに導入された熱源水の余剰分が、還りヘッダＲＨに直接戻されるように、往きヘッダＳＨと還りヘッダＲＨとが、バイパス配管ＢＰによって接続されている。
【０００７】
【特許文献１】特開平０８−１４５４１７号公報
【発明の開示】
【発明が解決しようとする課題】
【０００８】
ところで、上述したように、定流量タイプの熱源側系統５０を備えた空調システムでは、空調負荷と熱源側系統５０（熱源機器５１ａ及び熱交換器５１ｂ）の能力とがバランスしている場合を除いて、往きヘッダＳＨから、バイパス配管ＢＰを介して、熱源水の余剰分が還りヘッダＲＨに戻される状態で、熱源側系統５０が運転されるので、通常は、負荷側系統６０から還りヘッダＲＨに導入される放熱後の熱源水と、バイパス配管ＢＰを介して、往きヘッダＳＨから還りヘッダＲＨに導入される放熱前の熱源水とが混合された状態で、熱源機器５１ａや熱交換器５１ｂに導入されることになり、熱源機器５１ａや熱交換器５１ｂへの熱源水の入水温度は、最大空調負荷を想定して計算された設計入水温度まで上昇（冷房時）または低下（暖房時）することはほとんどない。
【０００９】
熱源機器系統５０ａにおける冷凍機等の熱源機器５１ａに設計入水温度まで上昇または低下していない熱源水が導入された場合は、熱源機器５１ａの容量制御が働き、熱源機器５１ａが能力を抑えながら運転を行うことによって、所定温度の熱源水を生成することになるので、特に問題はない。
【００１０】
これに対して、熱交換器系統５０ｂにおける熱交換器５１ｂに設計入水温度まで上昇または低下していない熱源水が導入された場合は、蓄熱槽５３の蓄熱側から熱交換器５１ｂに供給され、熱交換器５１ｂで放熱した後、蓄熱槽５３の放熱側に戻される蓄熱媒体の温度も、最大空調負荷を想定して計算された設計還り温度まで上昇（冷房時）または低下（暖房時）することがなく、蓄熱槽５３の放熱側には、保有熱を使い切っていない蓄熱媒体が貯留されていくことになる。
【００１１】
しかしながら、蓄熱媒体が蓄熱槽５３の放熱側に一旦戻されると、その蓄熱媒体の保有熱を、最早、空調負荷を処理するために、即ち、所定温度の熱源水を生成するために利用することはできなくなるので、蓄熱槽５３に蓄えられた熱を、効率よく利用することができなくなるといった問題がある。
【００１２】
また、保有熱がほとんど使用されなかったため、蓄熱温度に近い温度の蓄熱媒体が蓄熱槽５３内に部分的に貯留されていると、深夜電力等を利用して夜間に蓄熱運転を行う際、容量制御が働いて、冷凍機等の熱源機器が途中で運転を停止してしまう場合があり、円滑かつ確実に蓄熱運転を行うことができなくなるといった問題もある。
【００１３】
そこで、この発明の課題は、蓄熱槽に蓄えられた熱をできるだけ効率よく利用することができる空調システムを提供することにある。
【課題を解決するための手段】
【００１４】
上記の課題を解決するため、請求項１にかかる発明は、往きヘッダ及び還りヘッダを介して相互に接続された、所定温度の熱源水を生成する熱源側系統と熱源側系統によって生成された所定温度の熱源水を利用して空調負荷を処理する負荷側機器が設置された負荷側系統とを備え、前記熱源側系統は、前記往きヘッダ及び前記還りヘッダに個別に接続される、所定温度の熱源水を生成する熱源機器及び熱源機器用１次ポンプが設置された熱源機器系統と蓄熱槽に貯留された蓄熱媒体が保有する熱を利用して所定温度の熱源水を生成する熱交換器及び熱交換器用１次ポンプが設置された熱交換器系統とを有し、前記負荷側系統は、前記熱源側系統によって前記往きヘッダに導入された所定温度の熱源水を、前記負荷側機器に送出する２次ポンプを有し、前記熱源側系統によって前記往きヘッダに導入された所定温度の熱源水の余剰分が、バイパス流路を介して、前記還りヘッダに戻されるようになっており、前記熱源側系統は、空調負荷に応じて、前記熱源機器系統及び前記熱交換器系統の発停制御が行われるようになっている空調システムにおいて、前記熱交換器系統は、前記バイパス流路を介して前記還りヘッダに戻される所定温度の熱源水が前記熱交換器に導入されないように、直接または前記負荷側系統を介して間接的に前記還りヘッダに接続されていることを特徴とする空調システムを提供するものである。なお、ここでは、便宜上、「往きヘッダ」及び「還りヘッダ」という用語を使用しているが、「往きヘッダ」及び「還りヘッダ」と同様の機能を配管によって実現することも可能であり、そのような形態の空調システムも本発明に含まれることはいうまでもない。
【００１５】
また、蓄熱槽に蓄えられた熱を優先的に使用したい場合は、請求項２にかかる発明の空調システムのように、前記熱源機器系統及び前記熱交換器系統の双方が運転している状態では、前記熱源機器系統における熱源水の送水量を、前記熱源機器に対して予め定められている最大送水量に保持すると共に、前記熱交換器系統における熱源水の送水量を、前記熱交換器に対して予め定められている最大送水量に保持するようにしておくことが望ましい。
【００１６】
ただし、その場合は、バイパス流路を介して還りヘッダに戻される熱源水のバイパス流量が大きくなる場合があるので、請求項３にかかる発明の空調システムのように、前記熱源機器系統及び前記熱交換器系統の双方が運転している状態では、前記熱交換器系統における熱源水の送水量を、前記熱交換器に対して予め定められている最大送水量に保持すると共に、前記熱源機器への熱源水の入水温度が予め定められている設計入水温度になるように、前記熱源機器系統における熱源水の送水量を調整するようにしておくと、熱源機器用１次ポンプの動力を最小限に抑えることができる。なお、この場合は、変流量タイプの熱源機器を採用しなければならないことはいうまでもない。
【００１７】
また、蓄熱槽に蓄えられた熱を温存しておきたい場合は、請求項４にかかる発明の空調システムのように、前記熱源機器系統及び前記熱交換器系統の双方が運転している状態では、前記熱源機器系統における熱源水の送水量を、前記熱源機器に対して予め定められている最大送水量に保持すると共に、前記熱源機器への熱源水の入水温度が予め定められている設計入水温度になるように、前記熱交換器系統における熱源水の送水量を調整するようにしておくことが望ましい。
【発明の効果】
【００１８】
以上のように、請求項１にかかる発明の空調システムでは、バイパス流路を介して還りヘッダに戻される所定温度の熱源水が熱交換器に導入されないようになっているので、負荷側系統における負荷側機器から送出される、最大空調負荷を想定して計算された設計入水温度以上の熱源水が熱交換器に導入されることになる。従って、蓄熱槽の蓄熱側から熱交換器に供給され、熱交換器で放熱した後、蓄熱槽の放熱側に戻される蓄熱媒体の温度が、最大空調負荷を想定して計算された設計還り温度以上に上昇（冷房時）または設計還り温度以下に低下（暖房時）することになり、蓄熱槽の放熱側には、保有熱を使い切った蓄熱媒体が貯留されていくことになるので、蓄熱槽に蓄えられた熱を効率よく利用することが可能となる。
【００１９】
また、請求項２または請求項３にかかる発明の空調システムでは、設計入水温度以上（冷房時）に上昇または設計入水温度以下（暖房時）に低下した最大送水量の熱源水が熱交換器を通過することになるので、熱交換器系統が最大能力で運転を行い、熱交換器系統が処理することができない空調負荷の不足分を補うように熱源機器系統が能力を抑えながら運転を行うことになるので、蓄熱槽に蓄えられた熱を優先的に利用しながら、空調運転を行うことが可能になる。
【００２０】
また、請求項４にかかる発明の空調システムでは、熱源機器に設計入水温度の熱源水が導入されることになるので、熱源機器系統が最大能力で運転を行い、熱源機器系統が処理することができない空調負荷の不足分を補うように熱交換器系統が能力を抑えながら運転を行うことになるので、蓄熱槽に蓄えられた熱をできるだけ温存しながら、空調運転を行うことが可能になる。
【発明を実施するための最良の形態】
【００２１】
以下、実施の形態について図面を参照して説明する。図１に示すように、この空調システム１は、空調負荷を処理する空調機等の負荷側機器１４が設置された負荷側系統１０と、所定温度の熱源水（例えば、７℃の冷水）を生成して負荷側系統１０に送出する熱源側系統２０とが往きヘッダ３１及び還りヘッダ３２を介して、相互に接続されたものであり、往きヘッダ３１と還りヘッダ３２とは、バイパス管３３を介して、相互に接続されている。
【００２２】
前記負荷側系統１０は、２次ポンプ１１が設置された負荷側往き配管１１ａ及びバイパス弁１２が設置された負荷側バイパス配管１２ａを介して往きヘッダ３１に接続される負荷側往きヘッダ１３を備えており、負荷側機器１４が、負荷側配管１５を介して、負荷側往きヘッダ１３及び還りヘッダ３２に接続されている。
【００２３】
負荷側配管１５には、負荷側機器１４の上流側に二方弁１６が設置されており、この二方弁１６を空調負荷に応じて開閉させることにより、負荷側機器１４への熱源水の供給量が調整されるようになっている。
【００２４】
また、２次ポンプ１１は、インバータによって、その回転数を変化させることで、送水量を調整することができるようになっており、空調負荷に応じて二方弁１６が開閉することで、負荷側機器１４への送水量が変化した場合でも、負荷側系統１０への送水差圧、即ち、差圧発信器４１によって検出される、負荷側往きヘッダ１３と往きヘッダ３１との間の差圧が設定差圧になるように、プログラマブル・ロジック・コントローラ４０が、２次ポンプ１１の回転数を制御するようになっている。
【００２５】
ただし、負荷側系統１０の二方弁１６が全閉または全閉近くまで閉弁すると、２次ポンプ１１が締め切り運転またはそれに近い運転を行うことになるので、負荷側機器１４への送水量が少なくなったときは、バイパス弁１２が開弁し、２次ポンプ１１によって負荷側往きヘッダ１３に導入された熱源水が、負荷側バイパス配管１２ａを介して、往きヘッダ３１に戻されるようになっている。
【００２６】
前記熱源側系統２０は、冷凍機等の定流量タイプの熱源機器２１ａ及び熱源機器用１次ポンプ２２ａが、熱源側配管２３ａによって、往きヘッダ３１及び還りヘッダ３２に接続された熱源機器系統２０ａと、蓄熱槽２４に貯留された蓄熱媒体（水）が保有する熱を利用して所定温度の熱源水を生成する熱交換器２１ｂ及び熱交換器用１次ポンプ２２ｂが、熱源側配管２３ｂによって、往きヘッダ３１及び負荷側配管１５における負荷側機器１４よりも下流側に接続された熱交換器系統２０ｂとから構成されており、熱源機器２１ａ及び熱交換器２１ｂによって生成された所定温度の熱源水が、熱源機器用１次ポンプ２２ａ、熱交換器用１次ポンプ２２ｂによって、往きヘッダ３１にそれぞれ送出されるようになっている。なお、負荷側配管１５、バイパス管３３及び熱源側配管２３ａは、図１に示すように、バイパス管３３の接続部を挟んでその両側に負荷側配管１５及び熱源側配管２３ａの接続部が位置するように、還りヘッダ３２にそれぞれ接続されている。
【００２７】
また、蓄熱槽２４における蓄熱側（冷房の場合は低温側、暖房の場合は高温側）に貯留された蓄熱媒体は、蓄熱２次ポンプ２５によって、蓄熱２次配管２６を介して、熱交換器２１ｂに供給され、熱交換器２１ｂで放熱した蓄熱媒体が蓄熱槽２４における放熱側（冷房の場合は高温側、暖房の場合は低温側）に戻されるようになっており、熱源側配管２３ｂにおける熱交換器２１ｂの下流側に設置された送水温度センサ４２によって検出される、熱交換器２１ｂから送出される熱源水の送水温度が所定温度に保持されるように、プログラマブル・ロジック・コントローラ４０が、インバータによって、蓄熱２次ポンプ２５の回転数を変化させることで、熱交換器２１ｂへの蓄熱媒体の供給量を調整するようになっている。
【００２８】
また、プログラマブル・ロジック・コントローラ４０は、負荷側配管１５における負荷側機器１４と熱源側配管２３ｂの接続部との間に設置された流量計４３によって検出される負荷側流量と、負荷側系統１０における送水温度差、即ち、往きヘッダ３１と還りヘッダ３２との間の温度差とに基づいて、空調負荷を算出するようになっており、プログラマブル・ロジック・コントローラ４０が、算出した空調負荷に応じて、熱源機器系統２０ａ及び熱交換器系統２０ｂの発停制御を行うようになっている。
【００２９】
このように、この空調システム１では、空調負荷に応じて、負荷側系統１０が送水量を調整しながら、熱源側系統２０における熱源機器系統２０ａ及び熱交換器系統２０ｂの発停制御を行うようになっているので、熱源側系統２０の送水量が負荷側系統１０の送水量を上回ると、その余剰分がバイパス管３３を通って、往きヘッダ３１から還りヘッダ３２に戻されるようになっている。
【００３０】
さらに、熱交換器系統２０ｂの熱交換器用１次ポンプ２２ｂは、インバータによって、その回転数を変化させることで、往きヘッダ３１への熱源水の送水量を調整することができるようになっており、還りヘッダ３２におけるバイパス管３３の接続部と熱源側配管２３ａの接続部との間に設置された入水温度センサ４４によって検出される熱源機器２１ａへの熱源水の入水温度が、最大空調負荷を想定して計算された設計入水温度（例えば、１２℃）になるように、プログラマブル・ロジック・コントローラ４０が、インバータによって、熱交換器用１次ポンプ２２ｂの回転数を変化させることで、往きヘッダ３１への熱源水の送水量、即ち、バイパス管３３を通って往きヘッダ３１から還りヘッダ３２に戻される熱源水のバイパス水量を調整することができるようになっている。
【００３１】
以上のように、この空調システム１では、熱交換器系統２０ｂにおける熱源側配管２３ｂが、負荷側系統１０の負荷側配管１５における負荷側機器１４よりも下流側に接続されているので、バイパス管３３を通って還りヘッダ３２に戻される、放熱前の所定温度の熱源水が熱交換器２１ｂに導入されることがなく、負荷側系統１０における負荷側機器１４から送出される、最大空調負荷を想定して計算された設計入水温度以上の熱源水が熱交換器２１ｂにそのまま導入されることになる。従って、蓄熱槽２４の蓄熱側から熱交換器２１ｂに供給され、熱交換器２１ｂで放熱した後、蓄熱槽２４の放熱側に戻される蓄熱媒体の温度が、最大空調負荷を想定して計算された設計還り温度以上に上昇（冷房時）または設計還り温度以下に低下（暖房時）することになり、蓄熱槽２４の放熱側には、保有熱を使い切った蓄熱媒体が貯留されていくことになるので、蓄熱槽２４に蓄えられた熱を効率よく利用することが可能となる。
【００３２】
また、熱源機器系統２０ａ及び熱交換器系統２０ｂの双方が運転している状態において、熱交換器系統２０ｂにおける熱源水の送水量が、予め定められている最大送水量に保持されるように、熱交換器用１次ポンプ２２ｂを予め定められている最大回転数で定速運転させると、設計入水温度以上の熱源水が熱交換器２１ｂに導入される熱交換器系統２０ｂが最大能力で運転を行い、熱交換器系統２０ｂが処理することができない空調負荷の不足分を補うように、熱源機器系統２０ａにおける熱源機器２１ａの容量制御が働き、熱源機器２１ａが能力を抑えながら運転を行うことになるので、蓄熱槽２４に蓄えた熱を優先的に利用しながら、空調運転を行うことが可能になる。
【００３３】
逆に、熱源機器系統２０ａ及び熱交換器系統２０ｂの双方が運転している状態において、上述したように、入水温度センサ４４によって検出される熱源機器２１ａへの熱源水の入水温度が、設計入水温度（例えば、１２℃）になるように、インバータによって、熱交換器系統２０ｂの熱交換器用１次ポンプ２２ｂの回転数を変化させることで、熱交換器系統２０ｂの往きヘッダ３１への熱源水の送水量、即ち、バイパス管３３を通って往きヘッダ３１から還りヘッダ３２に戻される所定温度の熱源水のバイパス水量を調整するようにしておくと、熱源機器系統２０ａが最大能力で運転を行い、熱源機器系統２０ａが処理することができない空調負荷の不足分を補うように、熱交換器系統２０ｂが能力を抑えながら運転を行うことになるので、蓄熱槽２４に蓄えられた熱をできるだけ温存しながら、空調運転を行うことが可能になる。
【００３４】
なお、上述した実施形態では、熱交換器系統２０ｂが、往きヘッダ３１及び負荷側配管１５における負荷側機器１４よりも下流側に接続されているが、これに限定されるものではなく、例えば、図２に示すように、還りヘッダ３２の中央部に、負荷側配管１５とバイパス管３３とを接続し、還りヘッダ３２におけるバイパス管３３の接続部側の端部に、熱源機器系統２０ａの熱源側配管２３ａを接続すると共に、還りヘッダ３２における負荷側配管１５の接続部側の端部に、熱交換器系統２０ｂの熱源側配管２３ｂを接続するといった具合に、バイパス管３３を通って還りヘッダ３２に戻される、放熱前の所定温度の熱源水が熱交換器２１ｂに導入されないように、熱交換器系統２０ｂを直接または間接的に還りヘッダ３２に接続すればよい。
【００３５】
また、上述した各実施形態では、還りヘッダ３２を設ける場合について説明したが、これに限定されるものではなく、例えば、図３に示すように、還りヘッダを設けることなく、各配管を適宜接続することによっても、同様の効果を実現することができる。
【００３６】
また、上述した実施形態では、熱源側系統２０が、一の熱源機器系統２０ａと一の熱交換器系統２０ｂとを備えている空調システム１について説明したが、これに限定されるものではなく、二以上の熱源機器系統と一の熱交換器系統とを備えている空調システムについても、本発明を適用することができる。
【００３７】
また、上述した実施形態では、負荷側系統１０が１台の２次ポンプ１１を備えている空調システム１について説明したが、これに限定されるものではなく、２台以上の２次ポンプを備えた空調システムについても本発明を適用することができることはいうまでもなく、その場合は、複数台の２次ポンプを同時に運転しながら、同じように回転数を変化させたり、複数台の２次ポンプの台数制御を行うことも可能である。
【００３８】
また、上述した実施形態では、負荷側バイパス配管１２ａが負荷側往きヘッダ１３及び往きヘッダ３１に接続されているが、これに限定されるものではなく、例えば、負荷側往きヘッダ１３に接続された負荷側バイパス配管を、往きヘッダ３１に代えて、還りヘッダ３２に接続することも可能であるが、その場合も、負荷側バイパス配管を通って還りヘッダ３２に戻される、放熱前の所定温度の熱源水が熱交換器２１ｂに導入されないようにしておく必要があることはいうまでもない。
【００３９】
また、上述した実施形態では、プログラマブル・ロジック・コントローラ４０が、熱交換器用１次ポンプ２２ｂ、蓄熱２次ポンプ２５、２次ポンプ１１の回転数制御及びバイパス弁１２の開閉制御を行っているが、これに限定されるものではなく、例えば、温度調節器や差圧調節器といった種々の制御手段を組み合わせて使用することも可能である。
【００４０】
また、上述した各実施形態では、定流量タイプの熱源機器２１ａ及び熱源機器用１次ポンプ２２ａを使用した空調システム１について説明したが、これに限定されるものではなく、変流量タイプの熱源機器及び熱源機器用１次ポンプを使用することも可能であり、その場合は、熱源機器系統及び熱交換器系統の双方が運転している状態において、熱交換器系統における熱源水の送水量が、予め定められている最大送水量に保持されるように、熱交換器用１次ポンプを予め定められている最大回転数で定速運転させると共に、熱源機器への熱源水の入水温度が設計入水温度になるように、熱源機器系統における熱源水の送水量を調整するようにしておくと、バイパス管を介して還りヘッダに戻される熱源水のバイパス量が小さくなるので、蓄熱槽に蓄えた熱を優先的に利用しながら、空調運転を行うことが可能になると共に、熱源機器用１次ポンプの動力を最小限に抑えることができる。
【００４１】
逆に、蓄熱槽に蓄えられた熱をできるだけ温存しながら、空調運転を行う場合は、熱源機器系統及び熱交換器系統の双方が運転している状態において、熱源機器系統における熱源水の送水量が、予め定められている最大送水量に保持されるように、熱源機器用１次ポンプを予め定められている最大回転数で定速運転させると共に、熱源機器への熱源水の入水温度が、設計入水温度になるように、インバータによって、熱交換器系統の熱交換器用１次ポンプの回転数を変化させることで、熱交換器系統の往きヘッダへの熱源水の送水量、即ち、バイパス管を通って往きヘッダから還りヘッダに戻される所定温度の熱源水のバイパス水量を調整するようにしておく必要があることはいうまでもない。
【００４２】
また、上述した各実施形態では、熱交換器用１次ポンプや熱源機器用１次ポンプの回転数を調整することによって、熱交換器系統や熱源機器系統における熱源水の送水量を調整するようになっているが、これに限定されるものではなく、例えば、熱交換器用１次ポンプや熱源機器用１次ポンプとして定流量ポンプを使用し、熱源側配管に設けた流量制御弁等の開閉動作によって、熱交換器系統や熱源機器系統における熱源水の送水量を調整することも可能である。
【図面の簡単な説明】
【００４３】
【図１】この発明にかかる空調システムの一実施形態を示す概略構成図である。
【図２】他の実施形態である空調システムにおける熱交換器系統の接続状態を示す部分構成図である。
【図３】他の実施形態である空調システムにおける熱交換器系統の接続状態を示す部分構成図である。
【図４】従来の空調システムを示す概略構成図である。
【符号の説明】
【００４４】
１  空調システム
１０  負荷側系統
１１  ２次ポンプ
１１ａ  負荷側往き配管
１２  バイパス弁
１２ａ  負荷側バイパス配管
１３  負荷側往きヘッダ
１４  負荷側機器
１５  負荷側配管
１６  二方弁
２０  熱源側系統
２０ａ  熱源機器系統
２０ｂ  熱交換器系統
２１ａ  熱源機器
２１ｂ  熱交換器
２２ａ  熱源機器用１次ポンプ
２２ｂ  熱交換器用１次ポンプ
２３ａ、２３ｂ  熱源側配管
２４  蓄熱槽
２５  蓄熱２次ポンプ
２６  蓄熱２次配管
３１  往きヘッダ
３２  還りヘッダ
３３  バイパス管（バイパス流路）
４０  プログラマブル・ロジック・コントローラ
４１  差圧発信器
４２  送水温度センサ
４３  流量計
４４  入水温度センサ
【図１】
0003699097.tif 000002
【図２】
0003699097.tif 000003
【図３】
0003699097.tif 000004
【図４】
0003699097.tif 000005